(57)【要約】【課題】  光を射出する光源と、光源から射出した光を案内する導光板とを備えるバックライトアセンブリーを提供する。【解決手段】  本発明は、改善された導光板を備えたバックライトアセンブリー及びそれを備えた表示装置に関する。本発明によるバックライトアセンブリーは、光を射出する光源と、光源から射出した光を案内する導光板とを備える。複数のプリズムが導光板の表面の長手方向に不連続に形成される。【選択図】  図１
2006073524.tif 000002
【特許請求の範囲】
【請求項１】
光を射出する光源と、
前記光源から射出した光を案内する導光板と、
前記導光板の表面に形成された複数のプリズムと
を備えるバックライトアセンブリー。
【請求項２】
前記導光板の前記表面は、光射出面と、前記光射出面の対向面とを含み、前記複数のプリズムは、前記対向面の長手方向に不連続に形成されたプリズムを含む、請求項１に記載のバックライトアセンブリー。
【請求項３】
前記導光板の前記光射出面に形成された複数のプリズムを含む請求項２に記載のバックライトアセンブリー。
【請求項４】
前記光射出面に形成された複数のプリズムは、前記対向面上に形成された複数のプリズムと立体的に交差する、請求項３に記載のバックライトアセンブリー。
【請求項５】
前記対向面に形成された複数のプリズムは一方向に配列されている、請求項３または４に記載のバックライトアセンブリー。
【請求項６】
前記プリズムの頂角が実質的に直角である、請求項３に記載のバックライトアセンブリー。
【請求項７】
前記プリズム上にコーティングされた保護膜を備える請求項１ないし６の何れかに記載のバックライトアセンブリー。
【請求項８】
光を射出する光源と、
前記光源から射出した光を案内する導光板と、
前記導光板の表面に形成され、それぞれが複数のプリズムを備える複数のプリズムユニットと
を備えるアセンブリー。
【請求項９】
前記複数のプリズムユニットがドット状である、請求項８に記載のバックライトアセンブリー。
【請求項１０】
前記導光板の光射出面の対向面の上に形成された突出部上に前記プリズムユニットが形成される、請求項８に記載のバックライトアセンブリー。
【請求項１１】
前記複数のプリズムユニットが不連続に形成される、請求項８ないし１０の何れかに記載のバックライトアセンブリー。
【請求項１２】
画像を表示するパネルユニットと、
光を射出する光源と、
前記光源から射出した光を前記パネルユニットにガイドする導光板と、
前記導光板の表面の長手方向に不連続に形成された複数のプリズムと
を備えるバックライトアセンブリーを備える表示装置。
【請求項１３】
画像を表示するパネルユニットと、
光を射出する光源と、
前記光源から射出した光を前記パネルユニットにガイドする導光板と、
前記導光板の表面に形成され、それぞれが複数のプリズムを備える複数のプリズムユニットと
を備えるバックライトアセンブリーを備える表示装置。
【請求項１４】
前記導光板の表面は、前記導光板の光射出面の対向面であり、前記複数のプリズムユニットは、前記導光板の前記対向面に不連続に形成される、請求項１３に記載の表示装置。
【請求項１５】
前記導光板の前記光射出面に形成された複数のプリズムを備える請求項１４に記載の表示装置。
【請求項１６】
前記光射出面に形成された複数のプリズムが、前記導光板の対向面上に形成された複数のプリズムユニットの各々に含まれた複数のプリズムと立体的に交差する、請求項１５に記載の表示装置。
【請求項１７】
前記導光板の対向面に形成された複数のプリズムユニットの各プリズムユニットに含まれた前記複数のプリズムが一方向に配列される、請求項１６に記載の表示装置。
【請求項１８】
前記光射出面に形成された複数のプリズムの頂角が実質的に直角である請求項１６又は１７に記載の表示装置。
【請求項１９】
複数の前記プリズムユニットが互いに離隔して位置する、請求項１３に記載の表示装置。
【請求項２０】
前記プリズムユニットの前記複数のプリズムが、前記導光板の光射出面の対向面に形成された突出部に設けられたプリズムである、請求項１９に記載の表示装置。
【請求項２１】
前記複数のプリズムユニットがドット状に形成された請求項１３ないし２０の何れかに記載の表示装置。
【請求項２２】
前記プリズムユニットにコーティングされた保護膜を備える請求項１３ないし２１の何れかに記載の表示装置。
【請求項２３】
前記パネルユニットと前記導光板が直接対向している請求項１３ないし２２の何れかに記載の表示装置。
【発明の詳細な説明】
【技術分野】
【０００１】
本発明は、導光板を備えたバックライトアセンブリー及びそれを備えた表示装置に関し、特に、光学シートを使用しないで済むように変形した導光板を備えたバックライトアセンブリー及びそれを備えた表示装置に関する。
【背景技術】
【０００２】
近年、急速に発展している半導体技術を中心に、性能が一層向上された表示装置の需要が益々増えている。
この中で脚光を浴びている表示装置（ＬＣＤ）は、小型化、軽量化及び省電力化などのメリットを有しており、既存のブラウン管（ＣＲＴ）の短所を克服できる代替手段として次第に注目され、現在はディスプレイ装置の必要な殆どの情報処理機器に装備されて使用されている。
【０００３】
一般の表示装置は、液晶の特定の分子配列に電圧を印加して分子配列を変換し、このような分子配列によって発光する液晶セルの複屈折性、旋光性、２色性及び光散乱特性などの光学的性質の変化を視覚変化に変換するものであって、液晶セルによる光の変調を利用して情報を表示する受光型ディスプレイ装置である。
【０００４】
液晶表示装置などの表示装置は、バックライトアセンブリーから光を受けて液晶表示パネルに画像を表示する。バックライトアセンブリーは、ランプ、導光板及び光学シートを備える。ランプから放出される光は、導光板を通ってガイドされ、導光板上に位置した光学シートを通って輝度が向上され、表示パネルに供給される。
【０００５】
一般の光学シートは、通常、光の通過順によって拡散シート、２枚のプリズムシート及び保護シートで構成される。ここで、拡散シートは、導光板を通過した光を均一に拡散し、プリズムシートは、光を集めて視野角を拡張しつつ正面輝度をより向上させる。プリズムシートはその表面が山状に屈曲されており、それを保護するため保護シートを用いてプリズムシートを覆う。
【０００６】
このように、複数の光学シートが表示装置に用いられるので、複数の光学シートを表示装置に組み込む際に多数の工程を必要とし、製造コストが増加する。特に、携帯電話及びノート型パソコンのような小型製品に使用される表示装置は、超薄型化及び軽量化に対する消費者の要求が強く、前述したような複数枚の光学シートを使用すると表示装置の厚さ及び重量が増加し、そのような要求に応えることができない。また、複数枚の光学シートを使用するので一度に組立てるのが難しく、また、複数枚の光学シートを通過する際に光の損失が発生する。
【発明の開示】
【発明が解決しようとする課題】
【０００７】
本発明は、前記のような従来の問題点を解決するためになされたものであって、その目的は、光を射出する光源と、光源から射出した光を案内する導光板とを備えるバックライトアセンブリーを提供することである。
【課題を解決するための手段】
【０００８】
複数のプリズムは、導光板の表面に形成される。
導光板の表面は光射出面と対向面とを備え、導光板の対向面の長手方向に不連続に複数のプリズムが不連続に形成される。
【０００９】
複数のプリズムが導光板の光射出面に形成される。
光射出面に形成された複数のプリズムが、対向面上に形成された複数のプリズムと立体的に交差する。
【００１０】
対向面に形成された複数のプリズムは一方向に配列される。
プリズムの頂角は実質的に直角である。
保護膜がプリズム上にコーティングされる。
【００１１】
本発明による他のバックライトアセンブリーは、光を射出する光源と、光源から射出した光を案内する導光板とを備える。それぞれが複数のプリズムを備える複数のプリズムユニットが形成され、複数のプリズムユニットは、導光板の表面に形成される。
【００１２】
複数のプリズムユニットはドット状とすることができる。
導光板の対向面上に形成された突出部上に、各々のプリズムユニットを形成することができる。
【００１３】
複数のプリズムユニットは、不連続に形成される。
本発明による表示装置は、画像を表示するパネルユニットと、バックライトアセンブリーとを備える。バックライトアセンブリーは、光を射出する光源と、光源から射出した光をパネルユニットにガイドする導光板とを備える。複数のプリズムが、導光板の表面にその長手方向に不連続に形成される。
【００１４】
本発明による他の表示装置は、画像を表示するパネルユニットと、バックライトアセンブリーとを備える。バックライトアセンブリーは、光を射出する光源と、光源から射出した光をパネルユニットにガイドする導光板とを備える。それぞれが複数のプリズムを備える複数のプリズムユニットが、導光板の表面に形成される。
【００１５】
導光板は光射出面と対向面とを備え、複数のプリズムユニットは、対向面に不連続に形成される。
複数のプリズムが、導光板の光射出面に形成されることができる。
【００１６】
光射出面に形成された複数のプリズムは、導光板の対向面上に形成された各プリズムユニットに含まれた複数のプリズムと立体的に交差する。
導光板の対向面に形成された各プリズムユニットに含まれた複数のプリズムは一方向に配列される。
【００１７】
光射出面に形成された複数のプリズムの頂角は実質的に直角であることができる。
複数のプリズムユニットは互いに離隔して配置される。
複数のプリズムは、導光板の対向面に形成された突出部に形成されることができる。
【００１８】
複数のプリズムユニットは、ドット状に形成されることができる。
保護膜がプリズムユニットにコーティングされる。
パネルユニットと前記導光板が直接対向する。
【発明の効果】
【００１９】
本発明によれば、光の輝度を向上させると共に集光が容易になる。また、視野角を拡張し、表示装置の表示品質を向上させる。
【発明を実施するための最良の形態】
【００２０】
以下、図１乃至図６を参照して本発明の実施形態を説明する。このような本発明の実施形態は本発明を例示するためのものであり、本発明がこれに限定されるわけではない。
図１は、光学シートを備えない表示装置１００の分解図である。図１に示した表示装置の構造は本発明を例示するためのものであり、本発明がこれに限定されるわけではない。従って、他の構造の表示装置にも本発明を適用することができる。
【００２１】
図１に示した表示装置１００は、大きくは、光を供給するバックライトアセンブリー７０と、映像を表示するパネルユニット５０とを備える。この他に、これらを固定支持するためにトップシャーシ６０を結合する。バックライトアセンブリー７０は、パネルユニット５０に光をガイドしながら輝度を向上させて供給する。バックライトアセンブリー７０上に位置するパネルユニットアセンブリー４０は、画像を表示するパネルユニット５０を制御する。
【００２２】
パネルユニットアセンブリー４０は、パネルユニット５０、駆動ＩＣパッケージ４３、４４及び印刷回路基板（ＰＣＢ）４２を備える。駆動ＩＣパッケージとしては、ＴＣＰ（tape carrier package）またはＣＯＦ（chip on film）を使用することができる。
【００２３】
図１は、パネルユニット５０として液晶表示パネルを図示しているが、これは一例であり、本発明がこれに限定されるものではない。従って、他の種類のパネルユニット５０を使用することもできる。
【００２４】
画像を表示するパネルユニット５０は、２つのパネル５１、５３を有するが、一つのパネルを有するものでも良い。手動型表示装置を代表する液晶表示装置は大概は２つのパネルを有する。
【００２５】
パネルユニット５０は、複数のＴＦＴ（薄膜トランジスタ）を備えるＴＦＴパネル５１と、ＴＦＴパネル５１上部に位置するカラーフィルタパネル５３、及びこれらパネルの間に注入される液晶（図示せず）からなる。
【００２６】
ＴＦＴパネル５１は、透明なガラス基板を備え、複数の画素電極（図示せず）、複数のＴＦＴ（図示せず）、及び基板上に形成された複数の信号線（図示せず）を備える。画素電極は、マトリックス状に配列され、基板上に形成された透明な導電体であるＩＴＯ（indium tin oxide）、ＩＺＯ（indium zinc oxide）、及びAlまたはAgなどの反射型金属で製造される。信号線は、ゲートライン（図示せず）及びデータライン（図示せず）を有し、各ＴＦＴは、ゲートラインの一つに接続されるゲート、データラインの一つに接続されるソース、並びに画素電極の一つに接続されるドレインを有する。
【００２７】
パネルユニット５０のデータライン及びゲートラインは、印刷回路基板４２に接続され、ここからデータ信号及びゲート信号を受信する。ＴＦＴは、ゲートラインからのゲート信号によって導通または遮断され、画素電極にデータ信号を選択的に転送する。
【００２８】
また、カラーフィルタパネル５３は、画素電極に対向する複数のカラーフィルタ（図示せず）と、好ましくはカラーフィルタパネル５３の全面を覆うＩＴＯまたはＩＺＯなどの透明導電体からなる共通（コモン）電極（図示せず）を備える。共通電極には共通電圧が供給され、画素電極と共通電極の電圧差は液晶層に電界を形成する。電場は、液晶層の液晶分子の方位を決定し、液晶層を通過する光透過度を決定する。駆動ＩＣパッケージ４３、４４は、パネルユニット５０を制御するための複数の制御信号を転送する。データ駆動ＩＣパッケージは４４は、パネルユニット５０上に形成された複数のデータラインに接続され、ゲート駆動ＩＣパッケージ４３は、パネルユニット５０上に形成された複数のゲートラインに接続される。
【００２９】
パネルユニットアセンブリー４０下部には、パネルユニット４０に均一な光を提供するためのバックライトアセンブリー７０が備えられている。
バックライトアセンブリー７０は、上部モールドフレーム６２及び下部モールドフレーム６６によって固定される。バックライトアセンブリー７０は、光を射出する光源７２、光源７２から射出した光をパネルユニット５０にガイドする導光板１０、導光板１０の下部に位置し、光源７２から射出した光を反射する反射シート７６、並びに光源７２を覆って保護する光源カバー７４を備える。このような構成要素はボトムシャーシ６４に収納される。
【００３０】
図１で、光源としてランプを図示したが、これは光源の一例であり、本発明はこれに限定されるものではない。従って、例えば、複数の発光ダイオード（ＬＥＤ）を有する線光源を使用することもできる。
【００３１】
印刷回路基板４２は、トップシャーシ６０と下部モールドフレーム６６との間に固定される。印刷回路基板４２はボトムシャーシ６４上に位置する。
ボトムシャーシ６４の背面には、コントロールボード（図示せず）と光源７２とに電力を供給するインバータ（図示せず）を配設する。インバータは、外部電源を一定の電圧レベルに変圧して光源７２に供給する。コントロールボードは、アナログデータをデジタルデータに変換してパネルユニット５０に提供する。インバータ及びコントロールボードは、これを覆うシールドケース（図示せず）で保護する。
【００３２】
図１に示すように、表示装置１００には光学シートが具備されていない。そのため、パネルユニット５０と導光板１０は直接対向する。このような表示装置１００の構造により、導光板１０を通過する光が他の部分を通らないでパネルユニット４０に直接供給され、光の損失を低減する。その結果、光輝度が著しく増加する。モジュール化された導光板を図１中の円内に示した拡大図を参照して詳細に説明する。
【００３３】
図１中の円内に示した拡大図は、導光板１０の光射出面１１０のうちの縁部を拡大して示す。導光板１０の光射出面１１０には複数のプリズム１０１を形成し、プリズム１０１は一列に配列する。図１で、複数のプリズム１０１の頂部に沿った辺の方向が光源７２の長手方向（Ｘ軸方向）に対して垂直なＹ軸方向に向くように形成されているが、これは一例であり、本発明はこれに限定されるものではない。従って、他の方向に複数のプリズムを形成することもできる。
【００３４】
導光板１０上に形成されたプリズム１０１は、従来の表示装置に具備される光学シートの一つであるプリズムシートと同様の役割を果たす。即ち、導光板１０の光射出面１１０にプリズム１０１を形成することにより、光が導光板１０の光射出面１１０から射出される際、上部表面から垂直に射出する光を集光して、輝度をより向上させる。その結果、鮮明な画質を得られる表示装置を実現することができる。
【００３５】
プリズム１０１の頂角（α）は実質的に直角であるのが良い。その場合、集光効率が高くなり輝度を向上させることができる。
また、プリズム１０１上に保護膜１０３をコーティングすることで、導光板１０の光射出面１１０に形成されたプリズム１０１の損傷を防ぐことができる。即ち、保護膜１０３は、光学シートに備えられた保護シートと同様の役割を果たす。保護膜１０３は、ＰＭＭＡ（ポリメチルメタクリレート）などの樹脂からなり、プリズム１０１を効率的に保護することができる。
【００３６】
図２は、図１に示した表示装置１００の各部が結合された図である。
導光板１０（点線表示）は、光学シートと同様の役割を果たし、表示装置１００の超薄型化及び軽量化を実現することができる。即ち、表示装置１００が光学シートを具備しないので、表示装置１００の厚さが０．５ｍｍ程度減少し、重量が約３０ｇ程度減少する。従って、軽量化が要求される携帯用ノート型パソコンにおいて本発明を適用すると有効である。
【００３７】
図３は、導光板１０の背面を示す。導光板１０は、光源７２及び光源カバー７４と共に配設される。
光射出面の対向面１２０に複数のプリズム１０５が不連続に形成され、それにより光を効率的に集めることができる。即ち、複数のプリズム１０５が、そのプリズム１０５の頂部に沿った辺の方向がＸ軸方向に向くように形成されている。プリズム１０５は、対向面１２０のＸ軸方向全体にわたって連続的に延びるのではなく、部分的に切れている（即ち、対向面１２０には、プリズムが形成されていない部分が存在する）。ここで、対向面１２０は、光射出面に対向する導光板の一面を意味する。対向面は下部面とも言う。
【００３８】
図１を参照すれば、導光板１０の光射出面に形成されたプリズム（プリズムの頂部に沿った辺の方向）がＹ軸方向に向かう。そのため、光射出面１１０上に形成されたプリズムの頂部に沿った辺の方向は、対向面１２０上に形成されたプリズム１０５の頂部に沿った辺の方向と立体的に交差する。即ち、光射出面１１０上に形成されたプリズムと対向面１２０上に形成される複数のプリズム１０５とは立体的に交差する。光射出面１１０上に形成されたプリズム（プリズムの頂部に沿った辺の方向）と対向面１２０上に形成されたプリズム１０５（プリズムの頂部に沿った辺の方向）とがなす角度は実質的に直角である。光は、対向面１２０上に形成された複数のプリズム１０５から光射出面上に形成された複数のプリズムに垂直入射される。これにより、対向面１２０から射出された光が、光射出面上に形成された複数のプリズムによって集められ、パネルユニットに放出される。その結果、光輝度が向上する。
【００３９】
保護膜１０３がプリズム１０５にコーティングされているので、導光板１０の対向面１２０上に形成されたプリズム１０５は損傷を受けない。保護膜１０３は、ＰＭＭＡ（ポリメチルメタクリレート）などの樹脂からなり得るので、プリズム１０１を効率的に保護する。図３では、保護膜１０３でコーティングされたプリズム１０５を示しているが、必要に応じて保護膜の無いプリズムを形成することも可能である。
【００４０】
複数のプリズム１０５から導光板１０に向かう光源の全反射角度を４２度乃至４５度に維持する。より好ましくは、光源７２から射出される光の反射角が４３度になるようにして、導光板１０に入射した光が実質的に垂直に射出されるようにすることができる。次に、光源７２から射出された光の経路を図４を参照して説明する。
【００４１】
図４では、光の経路を複数の矢印で表示する。光が光源７２から射出されて導光板１０に入射する。複数のプリズムは、導光板１０表面に微細に形成されており、同図では便宜上その図示を省略する。
【００４２】
反射シート７６は、光源７２から射出されて導光板１０下部に向かう光の一部を導光板１０上部に反射する。また、導光板１０の対向面（１２０）に形成された複数のプリズムによって一部の光が導光板１０で完全に反射され、その他の光は導光板１０の光射出面に対して垂直に入る。これにより、他の光は導光板１０の光射出面（１１０）に形成されたプリズムによって集められ、パネルユニット５０に供給される。
【００４３】
導光板１０がパネルユニット５０に直接対向しており、光の損失がなく、従って、輝度が向上された光をパネルユニット５０に供給することができる。特に、光学シートを除去することができ、かつ別途の光学シートを収納する空間が不要であるので、組立工程が簡単であり、バックライトアセンブリーの製造コストも３０％程度減少する。
【００４４】
図５は、本発明の第２実施形態に係わるバックライトアセンブリーに備えられた導光板２０の背面を示す。導光板２０の下部面２２０に、複数のプリズムユニット２５が不連続に形成される。即ち、複数のプリズムユニット２５が互いに離隔して導光板２０の下部面２２０に形成される。
【００４５】
複数のプリズム２０５が集まって一つのプリズムユニット２５をなし、このようなプリズムユニット２５が互いに離隔して下部面２２０上に形成される。
光源７２から射出されＹ軸方向に進む光の量は、光源７２から遠くなるほど減少するので、プリズムユニット２５を光源７２から遠くなるほど稠密に形成して（即ち、光源７２から離れた位置ほど、プリズムユニット間の距離が短くなるようにプリズムユニットを配置して）、光を最大限に導光板２０の光射出面に反射させることもできる。
【００４６】
プリズムユニット２５をドット状に形成すれば、輝線、斜線方向の光漏れ、及び暗部などが生じないように表示品質を改善できると同時に、光制御が容易になり、輝度の均一性が向上するという利点がある。
【００４７】
図５中では、プリズムユニット２５の具体的な形状を円の中に拡大して示す。同図に示す円内には、ＢＢ線に沿ってプリズムユニット２５を切断した断面を拡大して示す。プリズムユニット２５には、高さ（下部面２２０の平坦部分から、プリズムの頂部までの高さ）が異なる複数のプリズム２０５が形成される。即ち、プリズムユニット２５内の複数のプリズム２０５は、プリズムユニット２５の中央部に近いものほど高さを高くし、中央部から遠いものほど高さを低くするように、形成される。これとは異なって、高さが同じプリズム２０５でプリズムユニット２５を形成することも可能である。
【００４８】
プリズムユニット２５の加工に関しては、まず、円板状の突出部を導光板２０の下部面２２０上に別個に形成し、その後にその突出部に複数のプリズム２０５を形成することが可能である。導光板２０の下部面２２０上に形成された各プリズムユニット２５に備えられた複数のプリズム２０５は、そのプリズム２０５の頂部に沿った辺の方向がＸ軸方向に向くように配列されている。図１に示すように、導光板２０の光射出面上に形成された複数のプリズム（プリズムの頂部に沿った辺の方向）はＹ軸方向に配列されており、下部面２２０上に形成された各プリズムユニット２５に備えられた複数のプリズム２０５（プリズム２０５の頂部に沿った辺の方向）が立体的に交差する。プリズムユニットの具体的な加工方法は、本発明の属する技術分野における通常の知識を有する者が容易に理解できるので、その詳細な説明を省略する。
【００４９】
導光板２０の下部面２２０上にプリズムユニット２５を形成することによって、導光板２０の下部面２２０から射出される光が均一に拡散する。また、導光板２０の光射出面に対して光が垂直に入り、それらより光輝度が向上する。
【００５０】
図６は、本発明の第３実施形態に係わるバックライトアセンブリーに備えられた導光板３０を示す。複数のプリズムユニット３５を導光板３０の下部面３２０上に形成する。
図６中では、線ＣＣに沿って切断したプリズムユニット３５の断面を、円の中に拡大して示す。円内に拡大して示されるように、導光板３０の下部面３２０上には板状突出部３０７が形成され、各プリズムユニット３５がその上に形成される。プリズムユニット３５内の複数のプリズム３０５は、高さ（下部面３２０の平坦部分から、プリズムの頂部までの高さ）を同じにするように、形成される。
【００５１】
複数の板状（円筒状）突出部３０７は、互いに隔離して形成される。複数の板状突出部３０７が導光板３０の下部面３２０上に形成された後に、複数のプリズム３０５が各板状突出部３０７上に形成される。このような構成により、プリズムユニット３５が製造し易くなる。プリズムの特殊な製造方法は、本発明の属する技術分野における通常の知識を有する者が容易に理解できるので、その詳細な説明を省略する。
【００５２】
導光板３０の下部面３２０に形成されたプリズム３０５により、導光板３０の下部面３２０に対して入射される光を水平方向に均一に拡散することができると共に、導光板３０の上部に垂直に入るようにして輝度を向上させる。
【００５３】
以下、本発明の実験例を通じて本発明をより詳細に説明する。次の本発明の実験例は単に本発明の一例であり、本発明はこれに限定されるものではない。
［実験例］
本発明の実験例では、本発明の第１実施形態によるバックライトアセンブリーを対象にして、バックライトアセンブリーから射出される光のプロファイルをシミュレーション実験して得た。具体的なシミュレーションの条件は、本発明の属する技術分野における通常の知識を有する者が理解できる通常の条件であるので、その詳細な説明を省略する。以下、本発明の実験例をより詳細に説明する。
【００５４】
［実験例１］
光射出面の対向面に保護膜がコーティングされないプリズムが不連続に形成された導光板を備えたバックライトアセンブリーについての光のプロファイルを測定した。その実験結果を図７Ａに点線で示す。同図に示す光のプロファイルによれば、光が正面に集められ、光が０度に近い角度で射出され、輝度が高くなることが分かる。
【００５５】
［実験例２］
光射出面の対向面に保護膜を備えた複数のプリズムが不連続に形成された導光板を備えるバックライトアセンブリーについての光のプロファイルを測定した。その実験結果を図７Ａに実線で示す。同図に示す光のプロファイルによれば、光が正面に集められ、光が０度に近い角度で射出されるものの、保護膜のため実験例１に比べて輝度が若干低くなった。
【００５６】
［比較例］
従来技術の比較例では、従来の光学シート及び従来の導光板を備えるバックライトアセンブリーを対象にして実験した。光のプロファイルを実験シミュレーションして得た。光のプロファイルを求めるためのシミュレーションの実験条件は、本発明の実験例と同様にして行った。以下、比較例を詳しく説明する。
【００５７】
［比較例１］
導光板を備え、光学シートを備えないバックライトアセンブリーを対象にして実験した。従来のように、下部にパターンのみが形成された導光板を備えるバックライトアセンブリーを用いた。ここから射出される光のプロファイルをシミュレーション実験して得た。その結果を図７Ｂの二点鎖線で示す。同図に示す光プロファイルによれば、光が８０度程度の角度に傾いて射出された。
【００５８】
［比較例２］
従来のように、下部にパターンのみが形成された導光板上に拡散シートのみを載せたバックライトアセンブリーを対象にして、バックライトアセンブリーから射出される光のプロファイルをシミュレーション実験して得た。その結果を図７Ｂの一点鎖線で示す。同図に示す光プロファイルによれば、導光板から射出された光が、拡散シートによって４０度に近い角度で射出された。
【００５９】
［比較例３］
従来のように、下部にパターンのみが形成された導光板上に拡散シートとプリズムシートとを載せたバックライトアセンブリーを対象にして、バックライトアセンブリーから射出される光のプロファイルをシミュレーション実験して得た。その結果を図７Ｂに点線で示す。同図に示す光プロファイルによれば、拡散シートとプリズムシートを通過した光が正面に集められて０度に近い角度で射出された。
【００６０】
［比較例４］
従来のように、下部にパターンのみが形成された導光板上に拡散シート、プリズムシート及び保護シートを載せたバックライトアセンブリーを対象にして、バックライトアセンブリーから射出される光のプロファイルをシミュレーション実験して得た。その結果を図７Ｂに実線で示す。同図に示す光プロファイルによれば、拡散シート、プリズムシート及び保護シートを通過した光が正面に集められて０度に近い角度で射出されるが、保護シートのため輝度が低下した。
【００６１】
図７Ａ及び図７Ｂから、実験例のものは、比較例のものに比べてバックライトアセンブリーから射出される光の輝度が向上することが分かる。ここでは、輝度は従来に比べて約３０％程度増加した。
【００６２】
従来のバックライトアセンブリーでは、導光板、拡散シート、プリズムシート及び保護シートの４段階を経て光が射出され、途中で光損失が生ずるのに対し、本発明では、導光板及び導光板上にコーティングされた保護膜の２段階のみを経て光が射出されるので、相対的に光損失が少ない。このように本発明によれば、光の輝度が向上すると共に集光が容易になる。また、本発明は、視野角を拡張し、表示装置の表示品質を向上させる。
【００６３】
以上で本発明を詳細に説明したが、特許請求の範囲の概念と範囲を逸脱せずに種々の修正及び変形が可能であることは、本発明の属する技術分野に従事する者であれば容易に理解できることであろう。
【図面の簡単な説明】
【００６４】
【図１】本発明の第１実施形態に係わる表示装置の分解斜視図である。
【図２】本発明の第１実施形態に係わる表示装置の各部を結合した際の斜視図である。
【図３】本発明の第１実施形態に係わるバックライトアセンブリーの背面の斜視図である。
【図４】図２に示すＡＡ線に沿って切断した部分断面図である。
【図５】本発明の第２実施形態に係わるバックライトアセンブリーの背面の斜視図である。
【図６】本発明の第３実施形態に係わるバックライトアセンブリーの背面の斜視図である。
【図７Ａ】本発明の実験例によるバックライトアセンブリーの光プロファイルを示す図である。
【図７Ｂ】従来技術の比較例によるバックライトアセンブリーの光プロファイルを示す図である。
【符号の説明】
【００６５】
１０、２０、３０  導光板
２５、３５  プリズムユニット
４０  パネルユニットアセンブリー
４２  印刷回路基板
５０  パネルユニット
６０  トップシャーシ
６４  ボトムシャーシ
７０  バックライトアセンブリー
７２  光源
７４  光源カバー
７６  反射シート
１００  表示装置
１１０  光射出面
１０１、１０５、２０５、３０５  プリズム
１０３  保護膜 
【図１】
2006073524.tif 000003
【図２】
2006073524.tif 000004
【図３】
2006073524.tif 000005
【図４】
2006073524.tif 000006
【図５】
2006073524.tif 000007
【図６】
2006073524.tif 000008
【図７Ａ】
2006073524.tif 000009
【図７Ｂ】
2006073524.tif 000010